(57)【要約】【課題】両面印刷を可能とする装置をオプション装置として追加しても、装置全体の大きさが大きくなることのないようにする。【解決手段】画像形成装置１の下部の収容部１２、１４には、それぞれ用紙を積層して収容する第２給紙カセット１１、第２給紙カセットが収容、引き出し自在に収容できる。収容部１４には、第１給紙カセットに代えてオプション装置である両面カセット６１を収容することができる。両面カセット６１は、作像器３で片面に画像形成された用紙Ｐの表裏を反転して再度作像器３に再度供給する装置である。【選択図】図１１
2010100422.tif 000002
【特許請求の範囲】
【請求項１】
筐体と、
印刷媒体が積層収容された第１の容器と、
前記筐体内に設けられ、前記第１の容器が引き出し自在に収容される第１の収容部と、
印刷媒体が積層収容された第２の容器と、
前記筐体内に設けられ、前記第２の容器が引き出し自在に収容され、前記第２の容器が収容されたときは前記第１の容器と上下２段となる第２の収容部と、
前記第１の容器及び前記第２の容器から前記印刷媒体を搬送する搬送経路と、
を備え、
前記第１の収容部は、前記第１の容器に代えて前記作像器で片面に印刷した前記印刷媒体の表裏を反転して前記作像器に再度供給する反転装置を収納できる、
印刷媒体供給装置。
【請求項２】
前記第１の容器及び前記第２の容器は、前記筐体の同一の側から前記第１の収容部及び前記第２の収容部へ収容、引き出し自在であり、
前記第２の容器から１枚ずつ前記印刷媒体を取り出す取出装置をさらに備え、
前記取出装置及び前記第２の容器の少なくとも一部は、前記第２の容器を前記第２の収容部に収容したときは前記第１の容器又は前記反転装置を前記第１の収容部に対して収容、引き出しを行う際に前記第１の容器又は前記反転装置が移動する途上に配置されていて、
選択的に前記第２の容器の引き出し操作に連動させて前記第１の容器又は前記反転装置を引き出させ、又は当該連動を解除する連動装置をさらに備えている、
請求項１に記載の印刷媒体供給装置。
【請求項３】
印刷媒体上に画像形成する作像器と、
前記作像器が設けられた筐体と、
前記印刷媒体が積層収容された第１の容器と、
前記筐体内に設けられ、前記第１の容器が引き出し自在に収容される第１の収容部と、
前記印刷媒体が積層収容された第２の容器と、
前記筐体内に設けられ、前記第２の容器が引き出し自在に収容され、前記第２の容器が収容されたときは前記第１の容器と上下２段となる第２の収容部と、
を備え、
前記第１の収容部は、前記第１の容器に代えて前記作像器で片面に印刷した前記印刷媒体の表裏を反転して前記作像器に再度供給する反転装置を収納できる、
画像形成装置。
【請求項４】
前記第１の容器及び前記第２の容器は、前記筐体の同一の側から前記第１の収容部及び前記第２の収容部へ収容、引き出し自在であり、
前記第２の容器から１枚ずつ前記印刷媒体を取り出す取出装置をさらに備え、
前記取出装置及び前記第２の容器の少なくとも一部は、前記第２の容器を前記第２の収容部に収容したときは前記第１の容器又は前記反転装置を前記第１の収容部に対して収容、引き出しを行う際に前記第１の容器又は前記反転装置が移動する途上に配置されていて、
選択的に前記第２の容器の引き出し操作に連動させて前記第１の容器又は前記反転装置を引き出させ、又は当該連動を解除する連動装置をさらに備えている、
請求項３に記載の画像形成装置。
【発明の詳細な説明】
【技術分野】
【０００１】
本発明は、印刷媒体供給装置及び画像形成装置に関する。
【背景技術】
【０００２】
電子写真方式などで画像形成を行う画像形成装置においては、画像形成を行うプリンタエンジン（作像器）と、用紙などの印刷媒体を積層収容した給紙カセットとが設けられている。画像形成を行うときは、ピックアップロールを回転して給紙カセット内の最上層の用紙を取り出し、この取り出した用紙を作像器に搬送して、当該作像器で画像形成を行なう。
【０００３】
また、片面に画像形成を行った用紙を反転する反転装置を設けていて、この反転装置で表裏反転した用紙を再度作像器に供給して他の片面にも印刷できるようにして、両面印刷を可能とした画像形成装置が知られている。
【０００４】
さらに、このような反転装置を備えておらず、両面印刷を行うことができない画像形成装置に対して、オプション装置として反転装置を設けることができる画像形成装置も知られている。
【特許文献１】特開平０５‐２７０６７１号公報
【特許文献２】特開平０７‐１２５３５２号公報
【特許文献３】特開平０７‐１６８４０７号公報
【特許文献４】特開平１０‐１４２８６８号公報
【発明の開示】
【発明が解決しようとする課題】
【０００５】
本発明の目的は、両面印刷を可能とする反転装置をオプション装置として追加しても、装置全体の大きさが大きくなることのない印刷媒体供給装置及び画像形成装置を提供することである。
【課題を解決するための手段】
【０００６】
請求項１に記載の発明は、筐体と、前記印刷媒体が積層収容された第１の容器と、前記筐体内に設けられ、前記第１の容器が引き出し自在に収容される第１の収容部と、前記印刷媒体が積層収容された第２の容器と、前記筐体内に設けられ、前記第２の容器が引き出し自在に収容され、前記第２の容器が収容されたときは前記第１の容器と上下２段となる第２の収容部と、前記第１の容器及び前記第２の容器から前記印刷媒体を搬送する搬送経路と、を備え、前記第１の収容部は、前記第１の容器に代えて前記作像器で片面に印刷した前記印刷媒体の表裏を反転して前記作像器に再度供給する反転装置を収納できる、印刷媒体供給装置である。
【０００７】
請求項２に記載の発明は、請求項１に記載の印刷媒体供給装置において、前記第１の容器及び前記第２の容器は、前記筐体の同一の側から前記第１の収容部及び前記第２の収容部へ収容、引き出し自在であり、前記第２の容器から１枚ずつ前記印刷媒体を取り出す取出装置をさらに備え、前記取出装置及び前記第２の容器の少なくとも一部は、前記第２の容器を前記第２の収容部に収容したときは前記第１の容器又は前記反転装置を前記第１の収容部に対して収容、引き出しを行う際に前記第１の容器又は前記反転装置が移動する途上に配置されていて、選択的に前記第２の容器の引き出し操作に連動させて前記第１の容器又は前記反転装置を引き出させ、又は当該連動を解除する連動装置をさらに備えている。
【０００８】
請求項３に記載の発明は、印刷媒体上に画像形成する作像器と、前記作像器が設けられた筐体と、前記印刷媒体が積層収容された第１の容器と、前記筐体内に設けられ、前記第１の容器が引き出し自在に収容される第１の収容部と、前記印刷媒体が積層収容された第２の容器と、前記筐体内に設けられ、前記第２の容器が引き出し自在に収容され、前記第２の容器が収容されたときは前記第１の容器と上下２段となる第２の収容部と、を備え、前記第１の収容部は、前記第１の容器に代えて前記作像器で片面に印刷した前記印刷媒体の表裏を反転して前記作像器に再度供給する反転装置を収納できる、画像形成装置である。
【０００９】
請求項４に記載の発明は、請求項３に記載の画像形成装置において、前記第１の容器及び前記第２の容器は、前記筐体の同一の側から前記第１の収容部及び前記第２の収容部へ収容、引き出し自在であり、前記第２の容器から１枚ずつ前記印刷媒体を取り出す取出装置をさらに備え、前記取出装置及び前記第２の容器の少なくとも一部は、前記第２の容器を前記第２の収容部に収容したときは前記第１の容器又は前記反転装置を前記第１の収容部に対して収容、引き出しを行う際に前記第１の容器又は前記反転装置が移動する途上に配置されていて、選択的に前記第２の容器の引き出し操作に連動させて前記第１の容器又は前記反転装置を引き出させ、又は当該連動を解除する連動装置をさらに備えている。
【発明の効果】
【００１０】
請求項１に記載の発明によれば、反転装置をオプション装置として装着しても、本構成を備えない場合に比較して、装置全体の大きさが大きくならないようにすることができる。
【００１１】
請求項２に記載の発明によれば、一回の引き出し操作で第１の容器を取り出すことも、第２の容器を取り出すこともできるようにすることができる。
【００１２】
請求項３に記載の発明によれば、反転装置をオプション装置として装着しても、本構成を備えない場合に比較して、装置全体の大きさが大きくならないようにすることができる。
【００１３】
請求項４に記載の発明によれば、一回の引き出し操作で第１の容器を取り出すことも、第２の容器を取り出すこともできるようにすることができる。
【発明を実施するための最良の形態】
【００１４】
以下、本発明の一実施の形態について説明する。
【００１５】
図１は、本実施の形態にかかる画像形成装置の概略構成を示す縦断面図である。
【００１６】
この画像形成装置１は、各装置を収容した筐体２を備えている。この筐体２内の上部には電子写真方式で用紙Ｐなどの印刷媒体上に画像形成するプリンタエンジン（作像器）３が設けられている。すなわち、作像器３は、感光体ドラム４を備え、感光体ドラム４の周囲には、現像器５、転写器６などの電子写真プロセスで画像形成を行うための周知の各装置が設けられている（現像器５、転写器６以外は図示を省略している）。また、作像器３には定着器７が設けられ、感光体ドラム４上のトナー画像が転写器６で転写された用紙Ｐを定着する。
【００１７】
筐体２内において作像器３の下部には、用紙Ｐを積層して収容する第２給紙カセット１１を収容する収容部１２と、用紙Ｐを積層して収容する第１給紙カセット１３を収容する収容部１４とが設けられている。第２給紙カセット１１、第１給紙カセット１３は、いずれも図１の筐体２の右側からそれぞれ矢印１５の方向に移動して、それぞれ収容部１２、収容部１４に収容され、また、矢印１６の方向に引き出すことができる。
【００１８】
第２給紙カセット１１内に積層収容されている用紙Ｐは最上層から１枚ずつ第１ピックアップローラ２１により取り出され、第１搬送ローラ対２２により第１給紙案内面２３（図５参照）に案内されて作像器３に供給される。第１給紙カセット１３内に積層収容されている用紙Ｐは最上層から１枚ずつ第２ピックアップローラ２４により取り出され、第２搬送ローラ対２５により第２の給紙案内面２６（図６参照）に案内されて作像器３に供給される。
【００１９】
作像器３で画像形成された用紙Ｐは、搬送ローラ対３１，３２、排紙ローラ３３により排紙ガイド部３４上、搬送経路３５を通って排紙積載部３６に排出される。
【００２０】
図２、用紙Ｐを積層収容した状態の第２給紙カセット１１の側面図であり、図３は、同斜視図である。
【００２１】
第２給紙カセット１１の引き出し側に設けられた把持部４５には第１搬送ローラ対２２が設けられている。
【００２２】
図４は、第１給紙カセット１３の側面図であり、図５、図６は、同斜視図である。
【００２３】
第１ピックアップローラ２１は、第２給紙カセット１１の引き出し側に設けられている。また、第２搬送ローラ対２５は第２給紙カセット１１の引き出し側で第１ピックアップローラ２１の上部位置に給紙ガイド部材４１を介して設けられている。第１ピックアップローラ２１の両側には用紙Ｐの搬送を行う第１給紙搬送コロ４２が設けられている。
【００２４】
図７は、収容部１２、収容部１４にそれぞれ収容されているときの第２給紙カセット１１、第１給紙カセット１３の縦断面図である。
【００２５】
第１ピックアップローラ２１は第１給紙カセット１３に設けられていて、第２給紙カセット１１、第１給紙カセット１３をそれぞれ収容部１２、収容部１４に収容したときには、第１給紙カセット１３を収容（矢印１５方向）、引き出し（矢印１６方向）するときに第１給紙カセット１３が通過する経路には、第１ピックアップローラ２１、第２給紙カセット１１の一部である把持部４５及び第１搬送ローラ対２２が位置している。第１ピックアップローラ２１、第１搬送ローラ対２２を第１給紙カセット１３を収容（矢印１５方向）、引き出し（矢印１６方向）するときに第１給紙カセット１３が通過する経路に配置しているのは、２段に構成された第２給紙カセット１１、第１給紙カセット１３を薄型化して、画像形成装置１の大きさをコンパクトにするためである。
【００２６】
図８は、画像形成装置１のオプション装置として使用される両面カセット６１を収容部１４に収納した状態の縦断面図であり、図９は、両面カセット６１を収容部１４に収納し、第２給紙カセット１１を収容部１２に収容した状態の両者の縦断面図であり、図１０は、同斜視図であり、図１１は、両面カセット６１を収容部１４に収納し、第２給紙カセット１１を収容部１２に収容した状態の画像形成装置１の縦断面図である。
【００２７】
この両面カセット６１は、第１給紙カセット１３に代えて、収容部１４に収容、引き出し自在に収容することができる。
【００２８】
両面カセット６１が第１給紙カセット１３と異なるのは、第１給紙カセット１３では用紙Ｐを収納する空間に両面反転ユニット７１が設けられていることである。すなわち、両面カセット６１上には用紙Ｐを案内する案内面７２と、案内面７２上に設けられた両面搬送ローラ対７３とが設けられている。
【００２９】
また、第１ピックアップローラ２１、第２搬送ローラ対２５、給紙ガイド部材４１は、第１給紙カセット１３と同様の構成のものが設けられている。
【００３０】
両面反転ユニット６１を設けたときは画像形成装置１で両面印刷を行うことが可能となる。すなわち、図１１に示すように、作像器３で片面に画像形成後の用紙Ｐは、排紙ガイド部３４を通過して搬送ローラ対３２により搬送経路３５（図１参照）に送り込まれる。排紙ガイド部３４は支点７４を中心に矢印７５方向に上下に回転できる。片面に画像形成後の用紙Ｐが搬送ローラ対３２を通過してしまうと、当該用紙Ｐを排紙積載部３６に排出することなく、そのまま用紙Ｐをスイッチバックして搬送経路３５を排紙積載部３６に排出する方向とは逆方向に搬送する。これにより、用紙Ｐは案内面７２に沿って両面カセット６１に送り込まれる。このとき、排紙ガイド部３４は図示しないアクチュエータにより少し上側に支点７４を中心に回転移動するので、搬送ローラ対３２から案内面７２に向かう用紙Ｐの動きを邪魔しない。そして、両面搬送ローラ対７３により案内面７２に沿って用紙Ｐは搬送され、再び第２ピックアップローラ２４、搬送ローラ対２５により作像器３に供給される。このとき、用紙Ｐは搬送経路３５でスイッチバックされるので、表裏反転されて作像器３に供給され、いまだ画像形成されていない方の面が感光体ドラム４の表面側となる。そして、当該画像形成されていない方の面にも画像形成することにより、両面印刷が可能となる。
【００３１】
このような両面反転ユニット６１は、第１給紙カセット１３と同様に、収容部１４内に収容したときは、全体が収容部１４内に収容されることとなる。このため両面反転ユニット６１の有無で装置外形が変わらない。このように、オプション装置の取り付けによって外形が大きくなる画像形成装置に比べて、新たな外装、梱包資材を作成する必要がない。また、第１給紙カセット１３内を用紙Ｐが通過して用紙Ｐを反転する場合に比べて、下段の第１ピックアップローラ２１と画像転写部との間の搬送経路にジャム（JAM）により用紙Ｐが滞留しても、第１給紙カセット１３内を用紙Ｐが通過していないため、第２給紙カセット１１を引き出す際にJAMした用紙Ｐが障害となることなく、第２給紙カセット１１を引き出すことが可能である。
【００３２】
図１２〜図１４は、第２給紙カセット１１、両面反転ユニット６１を収容部１２、収容部１４に収容、引き出し操作するときのガイド機構について示す斜視図である。
【００３３】
第２給紙カセット１１は、収容部１２に収容、引き出し移動する方向の左右両側部にはガイド部５１が設けられている。また、収容部１２内部の左右両側部にはガイド部５１の形状に合った溝状の受け部５２が形成されている。ガイド部５１は第２給紙カセット１１を収容部１２に収容（矢印１５方向）、引き出し（矢印１６方向）操作を行うときには受け部５２内を滑って移動し、受け部５２にガイドされて収容部１２内をスムーズに移動することができる。
【００３４】
同様に、両面反転ユニット６１は、収容部１４に収容、引き出し移動する方向の左右両側部にはガイド部５３が設けられている。また、収容部１４内部の左右両側部にはガイド部５３の形状に合った溝状の受け部５４が形成されている。ガイド部５３は第１給紙カセット１３を収容部１４に収容（矢印１５方向）、引き出し（矢印１６方向）操作を行うときには受け部５４内を滑って移動し、受け部５４にガイドされて収容部１４内をスムーズに移動することができる。なお、この構成は、第１給紙カセット１３においても同様である。
【００３５】
なお、図示は省略するが、両面カセット６１においても第１給紙カセット１３と同様に収容部１４の受け部５４を滑って移動する移動ガイド部５３が設けられている。
【００３６】
図１５は、引出しカセット選択機構８１を説明する第２給紙カセット１１、第２の給紙カセット１３の斜視図、図１６は、引出しカセット選択機構８１の斜視図、図１７は、把持部４５の一部を切り欠いて示した引出しカセット選択機構８１の斜視図、図１８〜図２０は引出しカセット選択機構８１の部分拡大斜視図である。
【００３７】
引出しカセット選択機構８１は、第２給紙カセット１１の把持部４５を持って引き出したときに第２給紙カセット１１のみ引き出させる操作と、第２給紙カセット１１の引き出しに連動して第１給紙カセット１３（両面反転ユニット６１）も引き出させる操作のうち、いずれかを選択的に行えるようにするための機構である。
【００３８】
まず、第２給紙カセット１１の把持部４５の内部には、第１搬送ローラ対２２の回転軸と軸方向がほぼ平行な回転軸８２が回転自在に支持されている。この回転軸８２の両端部には第１給紙側ロック部８３が設けられている。また、第１給紙カセット１３の引き出し側の左右両端部には第２給紙側ロック部８４が設けられている。
【００３９】
また、カセット選択機構８１は、ユーザがロック操作部材８５を回転させることにより、回転軸８２、ひいては第１給紙側ロック部８３を回転させることができる。また、ロック操作部材８５の回転方向により第１給紙側ロック部８３の回転方向も選択することができる。すなわち、図１６に示すように、ロック操作部材８５を矢印８６方向に引き上げることにより第１給紙側ロック部８３を矢印８７方向に回転させ、ロック操作部材８５を矢印８８方向に引き下げることにより第１給紙側ロック部８３を矢印８９方向に回転させることができる。
【００４０】
第２給紙カセット１１、第１給紙カセット１３をそれぞれ収容部１２、収容部１４に収容したときには、第１給紙側ロック部８３と第２給紙側ロック部８４とは上下に互いに対峙する。そして、第２給紙側ロック部８４には切欠き部９１が形成され、第１給紙側ロック部８３には鉤爪部９２が形成されていて、ロック操作部材８５を矢印８８方向に引き下げると、第１給紙側ロック部８３が矢印８９方向に回転して、切欠き部９１に鉤爪部９２が係わり合い、ロック操作部材８５を矢印８６方向に引き上げると、第１給紙側ロック部８３が矢印８７方向に回転して、切欠き部９１と鉤爪部９２との係わり合いが解除される。また、カセット選択機構８１においては、図示しないバネにより、切欠き部９１と鉤爪部９２とが係わり合いを保持するようにロック操作部材８５、第１給紙側ロック部８３は付勢されている。
【００４１】
このようなカセット選択機構８１では、通常は切欠き部９１と鉤爪部９２とが係わり合いを保持するようにロック操作部材８５、第１給紙側ロック部８３は付勢されているので、切欠き部９１と鉤爪部９２との係わり合った状態になっており、ユーザが把持部４５に手をかけて第２給紙カセット１１を収容部１２から引き出すと、図２１に示すように、切欠き部９１と鉤爪部９２との係わり合いを介して第１給紙カセット１３も連動して収容部１４から引き出される。
【００４２】
また、ロック操作部材８５を矢印８６方向に引き上げると、切欠き部９１と鉤爪部９２との係わり合いが解除されるので、そのままユーザが把持部４５に手をかけて第２給紙カセット１１を収容部１２から引き出すと、図２２に示すように、第２給紙カセット１１は収容部１２から引き出されるが、第１給紙カセット１３は収容部１４内にとどまる。
【００４３】
このようなロック操作部材８５の作用は第１給紙カセット１３を両面反転ユニット６１と交換しても同様である。すなわち、ロック操作部材８５も第１給紙カセット１３と同様の第２給紙側ロック部８４が設けられている。
【００４４】
以上説明した画像形成装置１によれば、両面反転ユニット６１をオプション装置として装着しても、本構成を備えない場合に比較して、装置全体の大きさが大きくならないようにすることができる。
【００４５】
また、第１ピックアップローラ２１、第１搬送ローラ対２２、把持部４５が第１給紙カセット１３を収容、引き出しする際の移動経路の途上に配置されているにもかかわらず、ユーザは、一回の引き出し操作で第２給紙カセット１１を取り出すことも、第１給紙カセット１３を取り出すこともできるようにすることができる。
【図面の簡単な説明】
【００４６】
【図１】本発明の一実施の形態にかかる画像形成装置の概略構成を示す縦断面図である。
【図２】本発明の一実施の形態にかかる画像形成装置における用紙を積層収容した状態の第２給紙カセットの側面図である。
【図３】本発明の一実施の形態にかかる画像形成装置における用紙を積層収容した状態の第２給紙カセットの斜視図である。
【図４】本発明の一実施の形態にかかる画像形成装置における第１給紙カセットの側面図である。
【図５】本発明の一実施の形態にかかる画像形成装置における第１給紙カセットの斜視図である。
【図６】本発明の一実施の形態にかかる画像形成装置における第１給紙カセットの斜視図である。
【図７】本発明の一実施の形態にかかる画像形成装置における収容部にそれぞれ収容されているときの第１給紙カセット、第２給紙カセットの縦断面図である。
【図８】本発明の一実施の形態にかかる画像形成装置にオプション装置として使用される両面カセットを収納した状態の縦断面図である。
【図９】本発明の一実施の形態にかかる画像形成装置に両面カセット、第２給紙カセット収容した状態の両者の縦断面図である。
【図１０】本発明の一実施の形態にかかる画像形成装置に両面カセット、第２給紙カセット収容した状態の両者の斜視図である。
【図１１】本発明の一実施の形態にかかる画像形成装置に両面カセット、第２給紙カセットを収容した状態の縦断面図である。
【図１２】本発明の一実施の形態にかかる画像形成装置において第２給紙カセット、両面反転ユニットを収容、引き出し操作するときのガイド機構について示す斜視図である。
【図１３】本発明の一実施の形態にかかる画像形成装置において第２給紙カセット、両面反転ユニットを収容、引き出し操作するときのガイド機構について示す斜視図である。
【図１４】本発明の一実施の形態にかかる画像形成装置において第２給紙カセット、両面反転ユニットを収容、引き出し操作するときのガイド機構について示す斜視図である。
【図１５】本発明の一実施の形態にかかる画像形成装置において引出しカセット選択機構を説明する第１給紙カセット、第２の給紙カセットの斜視図である。
【図１６】本発明の一実施の形態にかかる画像形成装置における引出しカセット選択機構の斜視図である。
【図１７】本発明の一実施の形態にかかる画像形成装置における把持部の一部を切り欠いて示した引出しカセット選択機構の斜視図である。
【図１８】本発明の一実施の形態にかかる画像形成装置における引出しカセット選択機構の部分拡大斜視図である。
【図１９】本発明の一実施の形態にかかる画像形成装置における引出しカセット選択機構の部分拡大斜視図である。
【図２０】本発明の一実施の形態にかかる画像形成装置における引出しカセット選択機構の部分拡大斜視図である。
【図２１】本発明の一実施の形態にかかる画像形成装置において第１給紙カセット、第２給紙カセットを連動して引き出したときの斜視図である。
【図２２】本発明の一実施の形態にかかる画像形成装置において第２給紙カセットのみを引き出したときの斜視図である。
【符号の説明】
【００４７】
１    画像形成装置
１１  第１給紙カセット
１２  収容部
１３  第２給紙カセット
１４  収容部
２１  第１ピックアップローラ
２２  第１搬送ローラ対
２４  第２ピックアップローラ
２５  第２搬送ローラ対
６１  両面カセット
８１  カセット選択機構
【図１】
2010100422.tif 000003
【図２】
2010100422.tif 000004
【図３】
2010100422.tif 000005
【図４】
2010100422.tif 000006
【図５】
2010100422.tif 000007
【図６】
2010100422.tif 000008
【図７】
2010100422.tif 000009
【図８】
2010100422.tif 000010
【図９】
2010100422.tif 000011
【図１０】
2010100422.tif 000012
【図１１】
2010100422.tif 000013
【図１２】
2010100422.tif 000014
【図１３】
2010100422.tif 000015
【図１４】
2010100422.tif 000016
【図１５】
2010100422.tif 000017
【図１６】
2010100422.tif 000018
【図１７】
2010100422.tif 000019
【図１８】
2010100422.tif 000020
【図１９】
2010100422.tif 000021
【図２０】
2010100422.tif 000022
【図２１】
2010100422.tif 000023
【図２２】
2010100422.tif 000024